(57)【要約】【課題】ジャンプ機能においてジャンプ先の辞書ＤＢを簡単に指定できる情報表示制御装置、サーバ及びプログラムを提供すること。【解決手段】ＣＰＵ２１はジェスチャ入力ジャンププログラム２７１を実行することにより、入力部２２により入力文字が入力されると、当該入力文字に適合する見出語及び当該見出語の説明情報を辞書ＤＢ２７３から読み出し、表示部２３に表示する。表示中の文字のうち、ユーザによって入力ペンで文字が指定されると、ＣＰＵ２１は当該文字の文字種と、当該文字の指定方法とを判別し、辞書ＤＢ２７３から何れかの辞書ＤＢを選択する。そしてＣＰＵ２１は選択した辞書ＤＢから当該文字に適合する見出語及び当該見出語の説明常用を読み出して、表示部２３に表示させる。【選択図】  図２
2004302802.tif 000002
【特許請求の範囲】
【請求項１】
見出語と説明情報とが対応づけられた情報を集合した集合情報を複数種類記憶する記憶手段と、
入力文字を入力する入力手段と、
この入力手段によって入力された入力文字に適合する見出語と、当該見出語の説明情報とを前記記憶手段から読み出して表示する制御を行う表示制御手段と、
この表示制御手段によって表示された見出語及び当該見出語の説明情報から文字を指定する指定手段と、
この指定手段によって指定された文字の文字種を判別する文字種判別手段と、
前記指定手段によって文字が指定された際の指定方法を判別する指定方法判別手段と、
この指定方法判別手段によって判別された指定方法と、前記文字種判別手段によって判別された文字種に基づいて、前記記憶手段に記憶されている複数種類の集合情報の何れかを選択する選択手段と、
この選択手段によって選択された集合情報から前記指定された文字に適合する見出語を読み出して表示する制御を行う状況別表示制御手段と、
を備えることを特徴とする情報表示制御装置。
【請求項２】
前記指定手段は、前記表示制御手段によって表示された見出語及び当該見出語の説明情報から文字を順方向又は逆方向に指定する方向別指定手段を有し、
前記状況別表示制御手段は、
前記指定方法判別手段が順方向での文字の指定と判別した場合に、前記選択手段によって選択された集合情報から前記指定された文字を語頭とする見出語を読み出して表示する制御を行う語頭含有見出語表示制御手段と、
前記指定方法判別手段が逆方向での文字の指定と判別した場合に、前記選択手段によって選択された集合情報から前記指定された文字を末尾とする見出語を読み出して表示する制御を行う末尾含有見出語表示制御手段と、
を有することを特徴とする請求項１に記載の情報表示制御装置。
【請求項３】
前記記憶手段は、日本語で表された見出語と説明情報とが対応づけられた情報を集合した日本語集合情報を記憶し、
前記語頭含有見出語表示制御手段は、更に、前記文字種別判別手段が日本語の文字と判別した場合、前記指定された文字を語頭とする見出語を前記日本語集合情報から読み出して表示する制御を行う語頭含有日本語見出語表示手段を有し、
前記末尾含有見出語表示制御手段は、更に、前記文字種別判別手段が日本語の文字と判別した場合、前記指定された文字を末尾とする見出語を前記日本語集合情報から読み出して表示する制御を行う末尾含有日本語見出語表示手段を有する、
ことを特徴とする請求項２に記載の情報表示制御装置。
【請求項４】
前記記憶手段は、外国語で表された見出語と説明情報とが対応づけられた情報を集合した外国語集合情報を記憶し、
前記語頭含有見出語表示制御手段は、更に、前記文字種別判別手段が外国語の文字と判別した場合、前記指定された文字を語頭とする見出語を前記外国語集合情報から読み出して表示する制御を行う語頭含有外国語見出語表示手段を有し、
前記末尾含有見出語表示制御手段は、更に、前記文字種別判別手段が外国語の文字と判別した場合、前記指定された文字を末尾とする見出語を前記外国語集合情報から読み出して表示する制御を行う末尾含有外国語見出語表示手段を有する、
ことを特徴とする請求項２又は３に記載の情報表示制御装置。
【請求項５】
タッチパネルと一体的に形成された表示部を更に備え、
前記表示制御手段は、前記入力された入力文字に適合する見出語及び当該見出語の説明情報を前記表示部に表示する制御を行う手段であり、
前記指定手段は、前記表示部に対するタッチ操作によって文字を指定するタッチ指定手段を有し、
前記指定方法判別手段は、前記タッチ指定手段によるタッチ操作の軌跡形状に基づいて、当該指定時の指定方法を判別するタッチ軌跡判別手段を有する、
ことを特徴とする請求項１〜４の何れか一項に記載の情報表示制御装置。
【請求項６】
所定のポインティングデバイスを更に備え、
前記指定手段は、ポインティングデバイスによる位置指定操作によって文字を指定するポイント手段を有し、
前記指定方法判別手段は、前記ポイント手段による位置指定操作の軌跡形状に基づいて、当該指定時の指定方法を判別するポイント軌跡判別手段を有する、
ことを特徴とする請求項１〜５の何れか一項に記載の情報表示制御装置。
【請求項７】
所定の通信回線を介して利用者端末と接続されるサーバにおいて、
見出語と説明情報とが対応づけられた情報を集合した集合情報を複数種類記憶する記憶手段と、
前記利用者端末から入力文字を受信する入力文字受信手段と、
この入力文字受信手段によって受信された入力文字に適合する見出語と、当該見出語の説明情報とを前記記憶手段から読み出して前記利用者端末に送信する見出語情報送信手段と、
前記利用者端末において表示された前記見出語及び当該見出語の説明情報の中から指定された文字と、当該指定時の指定方法を示す指定方法指示情報とを受信する指定文字受信手段と、
前記指定文字受信手段によって受信された文字の文字種を判別する文字種判別手段と、
前記指定文字受信手段によって受信された指定方法指示情報から指定方法を判別する指定方法判別手段と、
前記指定方法判別手段によって判別された指定方法と、前記文字種判別手段によって判別された文字種に基づいて、前記記憶手段に記憶されている複数種類の集合情報の何れかを選択する選択手段と、
この選択手段によって選択された集合情報から前記指定された文字に適合する見出語を読み出して前記利用者端末に送信する状況別見出語情報送信手段と、
を備えることを特徴とするサーバ。
【請求項８】
コンピュータに、
見出語と説明情報とが対応づけられた情報を集合した集合情報を複数種類記憶する記憶機能と、
入力文字を入力する入力機能と、
この入力機能によって入力された入力文字に適合する見出語と、当該見出語の説明情報とを前記記憶機能から読み出して表示する制御を行う表示制御機能と、
この表示制御機能によって表示された見出語及び当該見出語の説明情報から文字を指定する指定機能と、
この指定機能によって指定された文字の文字種を判別する文字種判別機能と、
前記指定機能によって文字が指定された際の指定方法を判別する指定方法判別機能と、
この指定方法判別機能によって判別された指定方法と、前記文字種判別機能によって判別された文字種に基づいて、前記記憶機能に記憶されている複数種類の集合情報の何れかを選択する選択機能と、
この選択機能によって選択された集合情報から前記指定された文字と適合する見出語を読み出して表示する制御を行う状況別表示制御機能と、
を実現させるためのプログラム。
【請求項９】
コンピュータに、
見出語と説明情報とが対応づけられた情報を集合した集合情報を複数種類記憶する記憶機能と、
前記利用者端末から入力文字を受信する入力文字受信機能と、
この入力文字受信機能によって受信された入力文字に適合する見出語と、当該見出語の説明情報とを前記記憶機能から読み出して前記利用者端末に送信する見出語情報送信機能と、
前記利用者端末において表示された前記見出語及び当該見出語の説明情報の中から指定された文字と、当該指定時の指定方法を示す指定方法指示情報とを受信する指定文字受信機能と、
前記指定文字受信機能によって受信された文字の文字種を判別する文字種判別機能と、
前記指定文字受信機能によって受信された指定方法指示情報から指定方法を判別する指定方法判別機能と、
前記指定方法判別機能によって判別された指定方法と、前記文字種判別機能によって判別された文字種に基づいて、前記記憶機能に記憶されている複数種類の集合情報の何れかを選択する選択機能と、
この選択手段によって選択された集合情報から前記指定された文字に適合する見出語を読み出して前記利用者端末に送信する状況別見出語情報送信機能と、
を実現させるためのプログラム。
【発明の詳細な説明】
【０００１】
【発明の属する技術分野】
本発明は、指定された文字列と適合する見出語を読み出して表示する情報表示制御装置、サーバ及びプログラムに関する。
【０００２】
【従来の技術】
従来より、辞書データベース（Ｄａｔａ  Ｂａｓｅ；以下「ＤＢ」と言う。）を備え、入力された入力文字に適合する見出語を辞書ＤＢから読み出し、読み出した見出語の意味や、見出語を用いた例文、成句、発音、解説等の関連情報を表示させる、情報表示制御装置の一種である電子辞書が知られている。
【０００３】
また、電子辞書の備えるジャンプ機能を利用すれば、例えば、国語辞書の説明情報中の文字列を指定し、その文字列を見出語として、同じ辞書である国語辞書や、他の辞書である和英辞書、百科辞典の当該見出語に対応する説明情報を表示させることができる。電子辞書の備えるジャンプ機能とは、見出語に対応する説明情報が表示されている際に、その説明情報中の一部の文字を指定して、当該指定した文字に適合する見出語を再度検索する機能のことである。
【０００４】
このような電子辞書の備えるジャンプ機能において、複数ある辞書ＤＢに対してジャンプ先を予め設定可能とし、またはジャンプする度にジャンプ先の辞書ＤＢを指定することのできる技術が知られている（特許文献１参照）。
【０００５】
【特許文献１】
特開２００１−１３４５８５号公報（第２−４頁、第１図）
【０００６】
【発明が解決しようとする課題】
しかしながら、特許文献１のような技術では、ジャンプ先の辞書ＤＢを予め設定する必要があるため、別の辞書ＤＢへジャンプしたい場合等にジャンプ先の辞書ＤＢの設定を変更する必要があり、使い勝手が悪かった。また、ジャンプする度にジャンプ先の辞書ＤＢを指定する操作は指定方法に手間がかかり煩雑であった。
【０００７】
本発明の目的は、ジャンプ機能においてジャンプ先の辞書ＤＢを簡単に指定できる情報表示制御装置、サーバ及びプログラムを提供することである。
【０００８】
【課題を解決するための手段】
以上の課題を解決するため、請求項１に記載の情報表示制御装置は、見出語と説明情報とが対応づけられた情報を集合した集合情報を複数種類記憶する記憶手段（例えば、図２のＲＯＭ２７）と、入力文字を入力する入力手段（例えば、図１の各種キー群１２、図２の入力部２２）と、この入力手段によって入力された入力文字に適合する見出語と、当該見出語の説明情報とを前記記憶手段から読み出して表示する制御を行う表示制御手段（例えば、図２のＣＰＵ２１；図４のステップＡ２及びＡ３）と、この表示制御手段によって表示された見出語及び当該見出語の説明情報から文字を指定する指定手段（例えば、図１の入力ペン１３；図２の入力部２２）と、この指定手段によって指定された文字の文字種を判別する文字種判別手段（例えば、図２のＣＰＵ２１；図４のステップＡ５）と、前記指定手段によって文字が指定された際の指定方法を判別する指定方法判別手段（例えば、図２のＣＰＵ２１；図４のステップＡ６）と、この指定方法判別手段によって判別された指定方法と、前記文字種判別手段によって判別された文字種に基づいて、前記記憶手段に記憶されている複数種類の集合情報の何れかを選択する選択手段（例えば、図２のＣＰＵ２１；図４のステップＡ７）と、この選択手段によって選択された集合情報から前記指定された文字に適合する見出語を読み出して表示する制御を行う状況別表示制御手段（例えば、図２のＣＰＵ２１；図４のステップＡ８及びＡ９）と、を備えることを特徴としている。
【０００９】
また、請求項８に記載の発明のプログラムは、見出語と説明情報とが対応づけられた情報を集合した集合情報を複数種類記憶する記憶機能（例えば、図２のＲＯＭ２７）と、入力文字を入力する入力機能（例えば、図１の各種キー群１２、図２の入力部２２；図４のステップＡ１）と、この入力機能によって入力された入力文字に適合する見出語と、当該見出語の説明情報とを前記記憶機能から読み出して表示する制御を行う表示制御機能（例えば、図２のＣＰＵ２１；図４のステップＡ２及びＡ３）と、この表示制御機能によって表示された見出語及び当該見出語の説明情報から文字を指定する指定機能（例えば、図１の入力ペン１３；図２の入力部２２）と、この指定機能によって指定された文字の文字種を判別する文字種判別機能（例えば、図２のＣＰＵ２１；図４のステップＡ５）と、前記指定機能によって文字が指定された際の指定方法を判別する指定方法判別機能（例えば、図２のＣＰＵ２１；図４のステップＡ５）と、この指定方法判別機能によって判別された指定方法と、前記文字種判別機能によって判別された文字種に基づいて、前記記憶機能に記憶されている複数種類の集合情報の何れかを選択する選択機能（例えば、図２のＣＰＵ２１；図４のステップＡ７）と、この選択機能によって選択された集合情報から前記指定された文字と適合する見出語を読み出して表示する制御を行う状況別表示制御機能（例えば、図２のＣＰＵ２１；図４のステップＡ８及びＡ９）と、を実現させることを特徴としている。
【００１０】
この請求項１又は８に記載の発明によれば、指定手段によって指定された文字の文字種と、指定手段によって文字が指定された際の指定方法に基づいて記憶手段に記憶されている集合情報を選択することができる。従って、文字を指定しながらジャンプ先の集合情報を簡単に指定することができ、ジャンプ機能の使い勝手を向上させることができる。尚、以下、「文字」は「文字」及び２文字以上からなる「文字列」を含むこととして説明する。
【００１１】
請求項２に記載の発明は、請求項１に記載の情報表示制御装置であって、前記指定手段は、前記表示制御手段によって表示された見出語及び当該見出語の説明情報から文字を順方向又は逆方向に指定する方向別指定手段（例えば、図１の入力ペン１３；図２の入力部２２）を有し、前記状況別表示制御手段は、前記指定方法判別手段が順方向での文字の指定と判別した場合に、前記選択手段によって選択された集合情報から前記指定された文字を語頭とする見出語を読み出して表示する制御を行う語頭含有見出語表示制御手段（例えば、図２のＣＰＵ２１；図４のステップＡ８及びＡ９）と、前記指定方法判別手段が逆方向での文字の指定と判別した場合に、前記選択手段によって選択された集合情報から前記指定された文字を末尾とする見出語を読み出して表示する制御を行う末尾含有見出語表示制御手段（例えば、図２のＣＰＵ２１；図４のステップＡ８及びＡ９）と、を有することを特徴としている。
【００１２】
この請求項２に記載の発明によれば、文字の指定方法に応じて、当該指定された文字を語頭とする見出語か、或いは末尾とする見出語かを区別して読み出して表示させることができる。従って、例えば、逆引き検索メニュー等において再度文字を入力し、当該入力文字を末尾とする見出語を検索しなおす必要がなく、ジャンプ機能の使い勝手を向上させることができる。
【００１３】
尚、以下、「逆引き検索」とは、指定された文字を末尾とする見出語を辞書ＤＢから読み出すこととし、「通常検索」とは、指定された文字を語頭とする見出語を辞書ＤＢから読み出すこととして説明する。
【００１４】
請求項３に記載の発明は、請求項２に記載の情報表示制御装置であって、前記記憶手段は、日本語で表された見出語と説明情報とが対応づけられた情報を集合した日本語集合情報（例えば、図３の国語辞書ＤＢ２７３１）を記憶し、前記語頭含有見出語表示制御手段は、更に、前記文字種別判別手段が日本語の文字と判別した場合、前記指定された文字を語頭とする見出語を前記日本語集合情報から読み出して表示する制御を行う語頭含有日本語見出語表示手段（例えば、図２のＣＰＵ２１；図４のステップＡ８及びＡ９）を有し、前記末尾含有見出語表示制御手段は、更に、前記文字種別判別手段が日本語の文字と判別した場合、前記指定された文字を末尾とする見出語を前記日本語集合情報から読み出して表示する制御を行う末尾含有日本語見出語表示手段（例えば、図２のＣＰＵ２１；図４のステップＡ８及びＡ９）を有することを特徴としている。
【００１５】
この請求項３に記載の発明によれば、指定された文字が日本語の場合、日本語集合情報から当該指定された文字を語頭とする見出語か、或いは末尾とする見出語かを読み出して表示させることができる。従って、ジャンプする度にジャンプ先を指定する等といった煩雑な操作をする必要がなく、ジャンプ機能の使い勝手を向上させることができる。
【００１６】
請求項４に記載の発明は、請求項２又は３に記載の情報表示制御装置であって、前記記憶手段は、外国語で表された見出語と説明情報とが対応づけられた情報を集合した外国語集合情報（例えば、図２の英英辞書ＤＢ２７３５）を記憶し、前記語頭含有見出語表示制御手段は、更に、前記文字種別判別手段が外国語の文字と判別した場合、前記指定された文字を語頭とする見出語を前記外国語集合情報から読み出して表示する制御を行う語頭含有外国語見出語表示手段（例えば、図２のＣＰＵ２１；図４のステップＡ８及びＡ９）を有し、前記末尾含有見出語表示制御手段は、更に、前記文字種別判別手段が外国語の文字と判別した場合、前記指定された文字を末尾とする見出語を前記外国語集合情報から読み出して表示する制御を行う末尾含有外国語見出語表示手段（例えば、図２のＣＰＵ２１；図４のステップＡ８及びＡ９）を有することを特徴としている。
【００１７】
この請求項４に記載の発明によれば、指定された文字が外国語の場合、外国語集合情報から当該指定された文字を語頭とする見出語か、或いは末尾とする見出語かを読み出して表示させることができる。従って、ジャンプする度にジャンプ先を指定する等といった煩雑な操作をする必要がなく、ジャンプ機能の使い勝手を向上させることができる。
【００１８】
請求項５に記載の発明は、請求項１〜４の何れか一項に記載の情報表示制御装置であって、タッチパネルと一体的に形成された表示部（例えば、図１の表示画面１１、図２の表示部２３）を更に備え、前記表示制御手段は、前記入力された入力文字に適合する見出語及び当該見出語の説明情報を前記表示部に表示する制御を行う手段であり、前記指定手段は、前記表示部に対するタッチ操作によって文字を指定するタッチ指定手段（例えば、図１の入力ペン１３）を有し、前記指定方法判別手段は、前記タッチ指定手段によるタッチ操作の軌跡形状に基づいて、当該指定時の指定方法を判別するタッチ軌跡判別手段（例えば、図２のＣＰＵ２１；図４のステップＡ６）を有することを特徴としている。
【００１９】
この請求項５に記載の発明によれば、タッチ操作によって文字を指定することにより、ユーザは表示された見出語及び当該見出語の説明情報の中から簡単に文字を指定することができる。更に指定された文字種とタッチ操作の軌跡形状に基づいて記憶手段に記憶されている集合情報が選択されるため、ユーザは文字を指定しながらジャンプ先の集合情報を簡単に指定することができる。従って、ジャンプ機能の使い勝手を向上させることができる。
【００２０】
請求項６に記載の発明は、請求項１〜５の何れか一項に記載の情報表示制御装置であって、所定のポインティングデバイスを更に備え、前記指定手段は、ポインティングデバイスによる位置指定操作によって文字を指定するポイント手段を有し、前記指定方法判別手段は、前記ポイント手段による位置指定操作の軌跡形状に基づいて、当該指定時の指定方法を判別するポイント軌跡判別手段（例えば、図２のＣＰＵ２１；図４のステップＡ６）を有することを特徴としている。
【００２１】
この請求項６に記載の発明によれば、ポインティングデバイスの操作によって文字を指定することにより、ユーザは表示された見出語及び当該見出語の説明情報の中から簡単に文字を指定することができる。更に指定された文字種とポインティングデバイスによる位置指定操作の軌跡形状に基づいて記憶手段に記憶されている集合情報が選択されるため、ユーザは文字を指定しながらジャンプ先の集合情報を簡単に指定することができる。従って、ジャンプ機能の使い勝手を向上させることができる。
【００２２】
請求項７に記載の発明のサーバは、所定の通信回線を介して利用者端末と接続されるサーバにおいて、見出語と説明情報とが対応づけられた情報を集合した集合情報を複数種類記憶する記憶手段（例えば、図１４の記憶部２０７）と、前記利用者端末から入力文字を受信する入力文字受信手段（例えば、図１４の通信装置２０４）と、この入力文字受信手段によって受信された入力文字に適合する見出語と、当該見出語の説明情報とを前記記憶手段から読み出して前記利用者端末に送信する見出語情報送信手段（例えば、図１４のＣＰＵ２０１、通信装置２０４）と、前記利用者端末において表示された前記見出語及び当該見出語の説明情報の中から指定された文字と、当該指定時の指定方法を示す指定方法指示情報とを受信する指定文字受信手段（例えば、図１４の通信装置２０４）と、前記指定文字受信手段によって受信された文字の文字種を判別する文字種判別手段（例えば、図１４のＣＰＵ２０１）と、前記指定文字受信手段によって受信された指定方法指示情報から指定方法を判別する指定方法判別手段（例えば、図１４のＣＰＵ２０１）と、前記指定方法判別手段によって判別された指定方法と、前記文字種判別手段によって判別された文字種に基づいて、前記記憶手段に記憶されている複数種類の集合情報の何れかを選択する選択手段（例えば、図１４のＣＰＵ２０１）と、この選択手段によって選択された集合情報から前記指定された文字に適合する見出語を読み出して前記利用者端末に送信する状況別見出語情報送信手段（例えば、図１４のＣＰＵ２０１、通信装置２０４）と、を備えることを特徴としている。
【００２３】
また請求項９に記載のプログラムは、コンピュータに、見出語と説明情報とが対応づけられた情報を集合した集合情報を複数種類記憶する記憶機能（例えば、図１４の記憶部２０７）と、前記利用者端末から入力文字を受信する入力文字受信機能（例えば、図１４の通信装置２０４）と、この入力文字受信機能によって受信された入力文字に適合する見出語と、当該見出語の説明情報とを前記記憶機能から読み出して前記利用者端末に送信する見出語情報送信機能（例えば、図１４の通信装置２０４）と、前記利用者端末において表示された前記見出語及び当該見出語の説明情報の中から指定された文字と、当該指定時の指定方法を示す指定方法指示情報とを受信する指定文字受信機能（例えば、図１４の通信装置２０４）と、前記指定された文字の指定方法を受信する指定方法受信機能（例えば、図１４の通信装置２０４）と、前記指定文字受信機能によって受信された文字の文字種を判別する文字種判別機能（例えば、図１４のＣＰＵ２０１）と、前記指定文字受信機能によって受信された指定方法指示情報から指定方法を判別する指定方法判別機能（例えば、図１４のＣＰＵ２０１）と、前記指定方法判別機能によって判別された指定方法と、前記文字種判別機能によって判別された文字種に基づいて、前記記憶機能に記憶されている複数種類の集合情報の何れかを選択する選択機能（例えば、図１４のＣＰＵ２０１）と、この選択機能によって選択された集合情報から前記指定された文字と適合する見出語を読み出して前記利用者端末に送信する状況別見出語情報送信機能（例えば、図１４のＣＰＵ２０１、通信装置２０４）と、を実現させることを特徴としている。
【００２４】
この請求項７又は９に記載の発明によれば、利用者端末において表示された見出語及び当該見出語の説明情報の中から指定された文字が送信され、更に当該文字の指定方法指示情報が送信されることによって、サーバは当該文字の文字種と指定方法に基づいて記憶手段に記憶されている集合情報の何れかを選択し、選択した集合情報から当該文字に適合する見出語を読み出して利用者端末に送信する。従って、利用者端末において、文字を指定しながらジャンプ先の集合情報を簡単に指定することができ、ジャンプ機能の使い勝手を向上させることができる。
【００２５】
【発明の実施の形態】
以下、図１〜図１４を参照して、本発明に係る情報表示制御装置の実施の形態について詳細に説明する。尚、以下においては、本発明を情報表示制御装置の一種である折りたたみ式の携帯型電子辞書に適用した場合を例にとって説明するが、本発明が適用可能な実施の形態はこれに限定されるものではない。
【００２６】
携帯型電子辞書には、国語辞書、漢和辞書、百科事典、英英辞書、英和辞書、和英辞書、類義語辞書等の各種電子辞書データ（辞書ＤＢ）が内蔵されている。この辞書ＤＢには、見出語に対応付けて、当該見出語を説明するための文字データや、静止画像データ、動画データ、音声データ等が記憶される。ユーザは、辞書種別を選択して単語を入力することにより、当該単語の解説等を表示させることができる。
【００２７】
図１は、携帯型電子辞書１の斜視概観図の一例である。同図に示すように、携帯型電子辞書１は、表示画面１１、各種キー群１２及び入力ペン１３等を備えて構成されており、内蔵電池（図示略）等を備え、金属や樹脂によってケーシングされている。
【００２８】
表示画面１１は、各種キー群１２の押下に応じた文字や符号等、携帯型電子辞書１を使用するために必要な各種データが表示される部分である。表示画面１１は、ＬＣＤ（Ｌｉｑｕｉｄ  Ｃｒｙｓｔａｌ  Ｄｉｓｐｌａｙ）やＥＬＤ（Ｅｌｅｃｔｒｏｎｉｃ  Ｌｕｍｉｎｅｓｃｅｎｔ  Ｄｉｓｐｌａｙ）等の素子であって、単数または複数の素子の組み合わせによって実現される。また、表示画面１１はタッチパネルが一体的に構成されており、入力ペン１３のタッチ入力を検知できるようになっている。
【００２９】
各種キー群１２を構成するキーにはそれぞれ固有の機能が割り当てられており、ユーザはこれらのキーを押下して携帯型電子辞書１を操作する。具体的には、文字入力キー、辞書種別の選択キー、表示中のカーソル等を移動させる方向キー、各種モードの実行開始指示等を行う決定キー等を備える。
【００３０】
図２は、携帯型電子辞書１の構成を示すブロック図である。同図に示すように、携帯型電子辞書１は、ＣＰＵ２１、入力部２２、表示部２３、ＲＡＭ２４、位置検出部２５及びＲＯＭ２７によって構成されており、各部はバス２８によって接続されている。また位置検出部２５にはタッチパネル２６が接続されている。
【００３１】
ＣＰＵ２１は、入力される指示に応じて所定のプログラムに基づいた処理を実行し、各機能部への指示やデータの転送等を行い、携帯型電子辞書１を統括的に制御する。具体的には、ＣＰＵ２１は、入力部２２から入力される押下信号等に応じてＲＯＭ２７に格納されたプログラムを読み出し、当該プログラムに従って処理を実行する。そして、処理結果をＲＡＭ２４に保存するとともに、当該処理結果を表示するための表示信号を適宜表示部２３に出力して、対応した表示情報を表示させる。
【００３２】
またＣＰＵ２１は、後述するジェスチャ入力ジャンププログラム２７１を読み出してジェスチャ入力ジャンプ処理を実行することにより、表示部２３に表示された見出語と当該見出語の説明情報の中から指定された文字の文字種と当該文字の指定方法に基づいて辞書ＤＢ２７３から１つの辞書ＤＢを選択し、当該辞書ＤＢから指定された文字に適合する見出語及び当該見出語の説明情報を読み出して表示する。
【００３３】
入力部２２は、仮名やアルファベット等の文字入力や機能選択等に必要なキー群を備えた入力装置であり、押下されたキーの押下信号等をＣＰＵ２１に出力する。この入力部２２におけるキー入力により、特に、入力文字の入力、辞書種別の選択、検索実行指示、モードの切替指示等の入力手段を実現する。尚、この入力部２２は、図１に示す各種キー群１２に相当するものである。
【００３４】
表示部２３は、ＣＰＵ２１から入力される表示信号に基づいて各種画面を表示するものである。尚、この表示部２３は、図１に示す表示画面１１に相当する。
【００３５】
ＲＡＭ２４は、ＣＰＵ２１が実行する各種プログラムや、これらプログラムの実行に係るデータ等を一時的に保持するメモリ領域を備える。本実施の形態では、特に入力軌跡データ記憶領域２４１を備える。入力軌跡データ記憶領域２４１には、表示中の文字が入力ペン１３によって指定された際の入力ペン１３の軌跡形状が記憶される。
【００３６】
タッチパネル２６は、入力ペン１３によって表示部２３上の指示（当接）された位置を感知して、指示（当接）位置に応じた信号を出力する装置である。タッチパネル２６に接続される位置検出部２５は、タッチパネル２６から出力される信号に基づいて、表示部２３上の指示された位置座標を検出する。このタッチパネル２６を使用すれば、表示部２３の表示領域における位置を直接的に指定することができる。特に、このタッチパネル２６上に入力ペン１３を当接させることにより、タップイン、ドラッグ、タップアウトといった操作を実現することができる。
【００３７】
ここで、タップインとは、入力ペン１３を表示画面１１に当接させたその時の操作のことを言い、タップアウトとは、当接させた後に入力ペン１３を表示画面１１から離す操作のことを言う。またドラッグとは、タップインからタップアウトまでの入力ペン１３を表示画面１１上で摺動させる操作を言う。
【００３８】
ＲＯＭ２７には、携帯型電子辞書１の各種機能を実現する為のプログラムやデータが記憶されている。本実施の形態において、ＲＯＭ２７には、ジェスチャ入力ジャンププログラム２７１、ジャンプ先指定データテーブル２７２及び辞書ＤＢ２７３等が記憶されている。
【００３９】
ジェスチャ入力ジャンププログラム２７１は、表示された見出語と当該見出語の説明情報の中から文字が指定されると、指定された文字の文字種と指定方法に基づいて辞書ＤＢ２７３から１つの辞書ＤＢを選択し、当該辞書ＤＢから指定された文字に適合する見出語及び当該見出語の説明情報を読み出して表示するジェスチャ入力ジャンプ処理をＣＰＵ２１に実行させるためのプログラムである。
【００４０】
ジャンプ先指定データテーブル２７２には、入力ペン１３によって文字が指定された際の入力ペン１３の軌跡形状と、当該指定された文字の文字種とに対応付けてジャンプ先の辞書ＤＢが記憶されている。図３はジャンプ先指定データテーブル２７２のデータ構成の一例を示した図である。
【００４１】
例えば、タッチパネル２６上での入力ペン１３の軌跡形状が軌跡３１のような順方向直線形状、即ち、図１の表示画面１１において左から右に向かう文字の並び順に沿った軌跡であって、指定された文字が日本語の時は国語辞書ＤＢ２７３１が選択される。一方、英語の時は英英辞書ＤＢ２７３５が選択される。
【００４２】
尚、入力ペン１３による軌跡形状が順方向直線形状の場合、選択された国語辞書ＤＢ２７３１或いは英英辞書ＤＢ２７３５から指定された文字を語頭とする見出語及び当該見出語の説明情報が読み出されて表示部２３に表示される（通常検索）。
【００４３】
また入力ペン１３による軌跡形状が軌跡３２のような逆方向直線形状、即ち、図１の表示画面１１において右から左に向かう文字の並びと逆の軌跡であって、指定された文字が日本語の時は国語辞書ＤＢ２７３１が選択される。一方、英語の時は英英辞書ＤＢ２７３５が選択される。
【００４４】
尚、入力ペン１３による軌跡形状が逆方向直線形状の場合、選択された国語辞書ＤＢ２７３１或いは英英辞書ＤＢ２７３５から指定された文字を末尾とする見出語が見出語一覧として読み出されて表示部２３に表示される（逆引き検索）。そして表示された見出語一覧のうち、ユーザによって見出語が選択されると、当該指定された見出語に適合した説明情報が選択された辞書ＤＢ２７３から読み出されて表示される。
【００４５】
更に、入力ペン１３による軌跡形状が軌跡３３のような円形状、即ち、文字を囲むような軌跡の場合は、指定された文字種に関係なく百科事典ＤＢ２７３２が選択される。
【００４６】
そして入力ペン１３による軌跡形状が軌跡３４のような下向き鉤形状、即ち、図１の表示画面１１において左から右に向かう文字の並び順に沿った軌跡が描かれ、更に入力ペン１３が表示画面１１に当接されたまま下方向に屈曲した軌跡が描かれた場合は、指定された文字種に関係なく漢和辞書ＤＢ２７３３が選択される。
【００４７】
また入力ペン１３による軌跡形状が軌跡３５のような上向き鉤形状、即ち、図１の表示画面１１において左から右に向かう文字の並び順に沿った軌跡が描かれ、更に入力ペン１３が表示画面１１に当接されたまま上方向に屈曲した軌跡が描かれた場合は、指定された文字が日本語の時は和英辞書ＤＢ２７３７、英語の時は英和辞書ＤＢ２７３６が選択される。
【００４８】
入力ペン１３による軌跡形状が軌跡３６のような往復直線形状、即ち、図１の表示画面１１において文字の並び順に沿って軌跡が描かれ、更に入力ペン１３が表示画面１１に当接されたまま当該文字の並びと逆の方向に軌跡が描かれた場合、指定された文字が日本語の時は日本語類語辞書ＤＢ２７３４、英語の時は英語類語辞書ＤＢ２７３８が選択される。
【００４９】
辞書ＤＢ２７３は、国語辞書ＤＢ２７３１、百科事典ＤＢ２７３２、漢和辞書ＤＢ２７３３、日本語類語辞書ＤＢ２７３４、英英辞書ＤＢ２７３５、英和辞書ＤＢ２７３６、和英辞書ＤＢ２７３７及び英語類語辞書ＤＢ２７３８等を含む。これらの辞書ＤＢは、見出語と当該見出語に対応した説明情報等が記憶されている。
【００５０】
図４は、ジェスチャ入力ジャンププログラム２７１に従ってＣＰＵ２１が実行するジェスチャ入力ジャンプ処理の動作を説明するためのフローチャートである。図４を用いて、ジェスチャ入力ジャンプ処理の流れについて説明する。
【００５１】
まずユーザによって入力文字が入力されると（ステップＡ１）、ＣＰＵ２１は入力文字に適合する見出語と当該見出語の説明情報を辞書ＤＢ２７３から読み出す（ステップＡ２）。そして、ＣＰＵ２１は、読み出した見出語に対応する説明情報を表示部２３に表示する（ステップＡ３）。
【００５２】
次にＣＰＵ２１は、表示部２３上を入力ペン１３で操作されたことを検知すると（ステップＡ４）、入力ペン１３によって指定された文字の文字種を判別する（ステップＡ５）。更にＣＰＵ２１は、表示部２３上における入力ペン１３の軌跡形状を入力軌跡データ記憶領域２４１に記憶させる。そして記憶された軌跡形状がジャンプ先指定データテーブル２７２に記憶されているペン軌跡の何れに該当するかを判別する（ステップＡ６）。
【００５３】
続いてＣＰＵ２１は、ステップＡ５で判別した文字種と、ステップＡ６で判別した入力ペン１３の軌跡形状に従って、ジャンプ先の辞書ＤＢ２７３を選択し（ステップＡ７）、選択した辞書ＤＢ２７３から指定された文字に適合する見出語及び当該見出語の説明情報を読み出して（ステップＡ８）、表示部２３に表示させる（ステップＡ９）。そして処理を終了する。
【００５４】
図５〜図１３は、各種辞書機能の実行中にジェスチャ入力ジャンプ処理が実行された場合の表示部２３の表示内容の一例を示した図である。図５〜図１３を用いて、領域指定ジャンプ処理が実行された場合の処理の流れについて詳細に説明する。
【００５５】
まずユーザによって例えば入力文字“国立公園”が入力されると（図４のステップＡ１に該当）、ＣＰＵ２１は入力文字“国立公園”に適合する見出語及び当該見出語の説明情報を国語辞書ＤＢ２７３１から読み出す（図４のステップＡ２に該当）。そして、図５（ａ）に示すように、見出語“国立公園”の説明情報が表示された表示画面５１を表示部２３に表示させる（図４のステップＡ３に該当）。
【００５６】
次に入力ペン１３によって、表示画面５１に表示されている説明情報の中から軌跡５１１に示すように文字“景勝”が指定されると、ＣＰＵ２１は文字“景勝”の文字種を判別し（図４のステップＡ５に該当）、更に軌跡５１１の軌跡形状を判別して（図４のステップＡ６に該当）、ジャンプ先指定データテーブル２７２よりジャンプ先の辞書ＤＢ２７３を選択する（図４のステップＡ７に該当）。
【００５７】
この場合、文字“景勝”の文字種は日本語、軌跡５１１の軌跡形状は順方向直線形状であるため、ＣＰＵ２１はジャンプ先として国語辞書ＤＢ２７３１を選択し、国語辞書ＤＢ２７３１から文字“景勝”に適合する見出語及び当該見出語の説明情報を読み出す（図４のステップＡ８に該当）。
【００５８】
そしてＣＰＵ２１は、図５（ｂ）に示すように、見出語“景勝”の説明情報が表示された表示画面５２を表示部２３に表示させる（図４のステップＡ９に該当）。
【００５９】
次に図６（ａ）に示すように、見出語“国立公園”の説明情報が表示された表示画面５１が表示部２３に表示されている際に、入力ペン１３によって表示画面５１に表示されている説明情報の中から軌跡５２１に示すように文字“国立公園”が指定された場合を説明する。
【００６０】
ＣＰＵ２１は文字“国立公園”の文字種を判別し（図４のステップＡ５に該当）、更に軌跡５２１の軌跡形状を判別して（図４のステップＡ６に該当）、ジャンプ先指定データテーブル２７２よりジャンプ先の辞書ＤＢ２７３を選択する（図４のステップＡ７に該当）。
【００６１】
この場合、文字“国立公園”の文字種は日本語、軌跡５２１の軌跡形状は逆方向直線形状であるため、ＣＰＵ２１はジャンプ先として国語辞書ＤＢ２７３１を選択し、国語辞書ＤＢ２７３１から文字“国立公園”を末尾とする見出語を見出語候補として読み出す。そして、図６（ｂ）に示すように、見出語候補が一覧表示された表示画面６１を表示部２３に表示させる。
【００６２】
そして一覧表示された見出語候補から、例えば見出語“あかんこくりつこうえん”がユーザによって選択されると、ＣＰＵ２１は見出語“あかんこくりつこうえん”の説明情報を国語辞書ＤＢ２７３１から読み出す（図４のステップＡ８に該当）。そして、図７（ａ）に示すように、見出語“あかんこくりつこうえん”の説明情報が表示された表示画面７１を表示部２３に表示させる（図４のステップＡ９に該当）。
【００６３】
次に図８（ａ）に示すように、見出語“国立公園”の説明情報が表示された表示画面５１が表示部２３に表示されている際に、入力ペン１３によって表示画面５１に表示されている説明情報の中から軌跡５３１に示すように文字“大雪山”が指定された場合を説明する。
【００６４】
ＣＰＵ２１は文字“大雪山”の文字種を判別し（図４のステップＡ５に該当）、更に軌跡５３１の軌跡形状を判別して（図４のステップＡ６に該当）、ジャンプ先指定データテーブル２７２よりジャンプ先の辞書ＤＢ２７３を選択する（図４のステップＡ７に該当）。
【００６５】
この場合、文字“大雪山”の文字種は日本語、軌跡５３１の軌跡形状は円形状であるため、ＣＰＵ２１はジャンプ先として百科事典ＤＢ２７３２を選択し、百科事典ＤＢ２７３２から文字“大雪山”に適合する見出語を読み出す。そして、図８（ｂ）に示すように、見出語“大雪山”の説明情報が表示された表示画面８１を表示部２３に表示させる（図４のステップＡ９に該当）。
【００６６】
次に図９（ａ）に示すように、見出語“国立公園”の説明情報が表示された表示画面５１が表示部２３に表示されている際に、入力ペン１３によって表示画面５１に表示されている説明情報の中から軌跡５４１に示すように文字“隠”が指定された場合を説明する。
【００６７】
ＣＰＵ２１は軌跡５４１の軌跡形状を判別して（図４のステップＡ６に該当）、ジャンプ先指定データテーブル２７２よりジャンプ先の辞書ＤＢ２７３を選択する（図４のステップＡ７に該当）。
【００６８】
この場合、軌跡５４１の軌跡形状は下向き鉤形状であるため、ＣＰＵ２１は指定された文字の文字種に関係なくジャンプ先を漢和辞書ＤＢ２７３３として選択し、漢和辞書ＤＢ２７３３から文字“隠”に適合する見出語を読み出す。そして、図９（ｂ）に示すように、見出語“隠”の説明情報が表示された表示画面９１を表示部２３に表示させる（図４のステップＡ９に該当）。
【００６９】
次に図１０（ａ）に示すように、漢和辞書機能の実行中において、見出語“隠”の説明情報が表示された表示画面９１が表示部２３に表示されている際に、入力ペン１３によって表示画面９１に表示されている説明情報の中から軌跡９１１に示すように文字“かくれる”が指定された場合を説明する。
【００７０】
ＣＰＵ２１は文字“かくれる”の文字種を判別し（図４のステップＡ５に該当）、更に軌跡９１１の軌跡形状を判別して（図４のステップＡ６に該当）、ジャンプ先指定データテーブル２７２よりジャンプ先の辞書ＤＢ２７３を選択する（図４のステップＡ７に該当）。
【００７１】
この場合、文字“かくれる”の文字種は日本語、軌跡９１１の軌跡形状は上向き鉤形状であるため、ＣＰＵ２１はジャンプ先として和英辞書ＤＢ２７３７を選択し、和英辞書ＤＢ２７３７から文字“かくれる”に適合する見出語を読み出す。そして、図１０（ｂ）に示すように、見出語“かくれる”の説明情報が表示された表示画面１０１を表示部２３に表示させる（図４のステップＡ９に該当）。
【００７２】
次に図１１（ａ）に示すように、和英辞書機能の実行中において、見出語“かくれる”の説明情報が表示された表示画面１０１が表示部２３に表示されている際に、入力ペン１３によって表示画面１０１に表示されている説明情報の中から軌跡１０１１に示すように文字“ｄｉｓａｐｐｅａｒ”が指定された場合を説明する。
【００７３】
ＣＰＵ２１は文字“ｄｉｓａｐｐｅａｒ”の文字種を判別し（図４のステップＡ５に該当）、更に軌跡１０１１の軌跡形状を判別して（図４のステップＡ６に該当）、ジャンプ先指定データテーブル２７２よりジャンプ先の辞書ＤＢ２７３を選択する（図４のステップＡ７に該当）。
【００７４】
この場合、文字“ｄｉｓａｐｐｅａｒ”の文字種は英語、軌跡１０１１の軌跡形状は順方向直線形状であるため、ＣＰＵ２１はジャンプ先として英英辞書ＤＢ２７３５を選択し、英英辞書ＤＢ２７３５から文字“ｄｉｓａｐｐｅａｒ”を語頭とする見出語を読み出す。そして、図１１（ｂ）に示すように、見出語“ｄｉｓａｐｐｅａｒ”の説明情報が表示された表示画面１１１を表示部２３に表示させる（図４のステップＡ９に該当）。
【００７５】
次に図１２（ａ）に示すように、和英辞書機能の実行中において、見出語“かくれる”の説明情報が表示された表示画面１０１が表示部２３に表示されている際に、入力ペン１３によって表示画面１０１に表示されている説明情報の中から軌跡１０１２に示すように文字“ｓｕｂｍｅｒｇｅ”が指定された場合を説明する。
【００７６】
ＣＰＵ２１は文字“ｓｕｂｍｅｒｇｅ”の文字種を判別し（図４のステップＡ５に該当）、更に軌跡１０１１の軌跡形状を判別して（図４のステップＡ６に該当）、ジャンプ先指定データテーブル２７２よりジャンプ先の辞書ＤＢ２７３を選択する（図４のステップＡ７に該当）。
【００７７】
この場合、文字“ｓｕｂｍｅｒｇｅ”の文字種は英語、軌跡１０１１の軌跡形状は上向き鉤形状であるため、ＣＰＵ２１はジャンプ先として英和辞書ＤＢ２７３６を選択し、英和辞書ＤＢ２７３６から文字“ｓｕｂｍｅｒｇｅ”に適合する見出語を読み出す。そして、図１２（ｂ）に示すように、見出語“ｓｕｂｍｅｒｇｅ”の説明情報が表示された表示画面１２１を表示部２３に表示させる（図４のステップＡ９に該当）。
【００７８】
次に図１３（ａ）に示すように、英和辞書機能の実行中において、見出語“ｓｕｂｍｅｒｇｅ”の説明情報が表示された表示画面１２１が表示部２３に表示されている際に、入力ペン１３によって表示画面１２１に表示されている説明情報の中から軌跡１２１１に示すように文字“ｓｉｎｋ”が指定された場合を説明する。
【００７９】
ＣＰＵ２１は文字“ｓｉｎｋ”の文字種を判別し（図４のステップＡ５に該当）、更に軌跡１２１１の軌跡形状を判別して（図４のステップＡ６に該当）、ジャンプ先指定データテーブル２７２よりジャンプ先の辞書ＤＢ２７３を選択する（図４のステップＡ７に該当）。
【００８０】
この場合、文字“ｓｉｎｋ”の文字種は英語、軌跡１２１１の軌跡形状は往復直線形状であるため、ＣＰＵ２１はジャンプ先として英語類語辞書ＤＢ２７３８を選択し、英語類語辞書ＤＢ２７３８から文字“ｓｉｎｋ”に適合する見出語を読み出す。そして、図１３（ｂ）に示すように、見出語“ｓｉｎｋ”の説明情報が表示された表示画面１３１を表示部２３に表示させる（図４のステップＡ９に該当）。
【００８１】
以上、説明したように、表示部２３に表示中の見出語及び当該見出語の説明情報の中から入力ペン１３によって文字を指定すると、指定された文字の文字種と、文字の指定方法、即ち、入力ペン１３の軌跡形状に基づいてジャンプ先の辞書ＤＢ２７３が選択され、選択された辞書ＤＢ２７３から指定された文字に適合する見出語及び当該見出語の説明情報を読み出して表示部２３に表示させることができる。
【００８２】
これより、ユーザはジャンプ先の辞書ＤＢ２７３を予め設定したり、ジャンプする度にジャンプ先の辞書ＤＢ２７３を選択する等といった手間のかかる操作を行う必要がなく、文字を指定しながら簡単にジャンプ先の辞書ＤＢ２７３を指定することができる。従って、携帯型電子辞書１のジャンプ機能の使い勝手を向上させることができる。
【００８３】
以上、本実施の形態を説明したが、本発明の要旨を逸脱しない範囲内において種々変更を加え得ることは勿論である。
【００８４】
例えば、上述した実施の形態では、入力ペン１３によって表示中の文字を指定することとして説明したが、マウス等のポインティングデバイスを備える携帯型電子辞書の場合、当該ポインティングデバイスによって文字が指定されることとしてもよい。この場合、ポインティングデバイスによる表示部２３上の位置指定操作の軌跡形状と、指定された文字の文字種に基づいて辞書ＤＢ２７３が選択される。
【００８５】
更に、上述した実施の形態では、電子辞書１を単体で動作する所謂スタンドアローン型の装置として説明した。しかし、本発明が適用可能な装置はこれに限られるものではない。通信装置を内蔵或いは接続可能に構成し、サーバと通信することによって本発明に係る装置を実現することも可能である。以下、図面を参照して具体的に説明する。
【００８６】
図１４は、通信装置を内蔵した電子辞書端末１００と、サーバ２００とが通信回線Ｎを介して通信可能に接続されたシステム構成の概略例を示す図である。サーバ２００は、例えば汎用のワークステーションやサーバ用コンピュータ等によって構成されるものであり、電子辞書端末１００は、携帯電話機や、通信装置を内蔵したパソコン、通信装置を内蔵した電子辞書等により構成されるものである。通信回線Ｎは、有線／無線の電話網やインターネット網等である。
【００８７】
図１４において、上述した実施の形態の電子辞書１の主要機能を有する機能ブロックを太線で示した。電子辞書１のＣＰＵ２１が実行するジェスチャ入力ジャンプ処理等はサーバ２００のＣＰＵ２０１が実行する。また電子辞書１のＲＯＭ２７が記憶するジェスチャ入力ジャンププログラム２７１、ジャンプ先指定データテーブル２７２及び辞書ＤＢ２７３等はサーバ２００のハードディスク等から構成される記憶部２０７が記憶する。また、ジェスチャ入力ジャンプ処理等の実行に伴うデータはサーバ２００のＲＡＭ２０６が記憶する。
【００８８】
一方、電子辞書１の入力部２２、表示部２３、位置検出部２５及びタッチパネル２６は電子辞書端末１００の入力部２２、表示部２３、位置検出部２５及びタッチパネル２６に相当する。
【００８９】
即ち、サーバ２００がホスト（或いはサーバ）、電子辞書端末１００が端末（或いはクライアント）に相当するホスト・端末のシステム（或いはクライアント／サーバ型のシステム）を形成する。そして、電子辞書端末１００の入力部２２から入力された入力文字、入力ペン１３によって指定された文字及び指定方法指示情報等が通信装置１０４を介してサーバ２００に送信され、サーバ２００のＣＰＵ２０１が記憶部２０７に記憶された各種データ及び各種プログラムに従ってジェスチャ入力ジャンプ処理等を実行する。
【００９０】
ＣＰＵ２０１は指定された文字の文字種及び指定方法指示情報に基づいて記憶部２０７に記憶されている辞書ＤＢを選択する。そして選択した辞書ＤＢから指定された文字に適合する見出語と当該見出語の説明情報とを読み出し、通信装置２０４を通じて電子辞書端末１００に送信して表示部２３に表示させる。
【００９１】
このように、サーバ２００及び電子辞書端末１００から構成されるシステムで、本発明を実現することも可能である。この場合、電子辞書端末１００においては、ジェスチャ入力ジャンププログラム２７１、ジャンプ先指定データテーブル２７２及び辞書ＤＢ２７３等を記憶しておく必要がなく、またジェスチャ入力ジャンプ処理等を実行する必要もない。このため、演算処理能力が比較的低いＣＰＵ１０１や、記憶容量等が比較的小さいＲＯＭ１０２等を具備する電子辞書端末１００（例えば携帯電話）であってもよい。
【００９２】
【発明の効果】
請求項１又は８に記載の発明によれば、指定手段によって指定された文字の文字種と、指定手段によって文字が指定された際の指定方法に基づいて記憶手段に記憶されている集合情報を選択することができる。従って、文字を指定しながらジャンプ先の集合情報を簡単に指定することができ、ジャンプ機能の使い勝手を向上させることができる。
【００９３】
請求項２に記載の発明によれば、文字の指定方法に応じて、当該指定された文字を語頭とする見出語か、或いは末尾とする見出語かを区別して読み出して表示させることができる。従って、例えば、逆引き検索メニュー等において再度文字を入力し、当該入力文字を末尾とする見出語を検索しなおす必要がなく、ジャンプ機能の使い勝手を向上させることができる。
【００９４】
請求項３に記載の発明によれば、指定された文字が日本語の場合、日本語集合情報から当該指定された文字を語頭とする見出語か、或いは末尾とする見出語かを読み出して表示させることができる。従って、ジャンプする度にジャンプ先を指定する等といった煩雑な操作をする必要がなく、ジャンプ機能の使い勝手を向上させることができる。
【００９５】
請求項４に記載の発明によれば、指定された文字が外国語の場合、外国語集合情報から当該指定された文字を語頭とする見出語か、或いは末尾とする見出語かを読み出して表示させることができる。従って、ジャンプする度にジャンプ先を指定する等といった煩雑な操作をする必要がなく、ジャンプ機能の使い勝手を向上させることができる。
【００９６】
請求項５に記載の発明によれば、タッチ操作によって文字を指定することにより、ユーザは表示された見出語及び当該見出語の説明情報の中から簡単に文字を指定することができる。更に指定された文字種とタッチ操作の軌跡形状に基づいて記憶手段に記憶されている集合情報が選択されるため、ユーザは文字を指定しながらジャンプ先の集合情報を簡単に指定することができる。従って、ジャンプ機能の使い勝手を向上させることができる。
【００９７】
請求項６に記載の発明によれば、ポインティングデバイスの操作によって文字を指定することにより、ユーザは表示された見出語及び当該見出語の説明情報の中から簡単に文字を指定することができる。更に指定された文字種とポインティングデバイスによる位置指定操作の軌跡形状に基づいて記憶手段に記憶されている集合情報が選択されるため、ユーザは文字を指定しながらジャンプ先の集合情報を簡単に指定することができる。従って、ジャンプ機能の使い勝手を向上させることができる。
【００９８】
請求項７又は９に記載の発明によれば、利用者端末において表示された見出語及び当該見出語の説明情報の中から指定された文字が送信され、更に当該文字の指定方法指示情報が送信されることによって、サーバは当該文字の文字種と指定方法に基づいて記憶手段に記憶されている集合情報の何れかを選択し、選択した集合情報から当該文字に適合する見出語を読み出して利用者端末に送信する。従って、利用者端末において、文字を指定しながらジャンプ先の集合情報を簡単に指定することができ、ジャンプ機能の使い勝手を向上させることができる。
【図面の簡単な説明】
【図１】携帯型電子辞書の斜視概観図の一例を示す図。
【図２】携帯型電子辞書の構成を示すブロック図。
【図３】ジャンプ先指定データテーブルのデータ構成を示した図。
【図４】ジェスチャ入力ジャンプ処理の実行にかかる携帯型電子辞書の動作フローを示す図。
【図５】表示部に表示される表示画面の一例を示す図。
【図６】表示部に表示される表示画面の一例を示す図。
【図７】表示部に表示される表示画面の一例を示す図。
【図８】表示部に表示される表示画面の一例を示す図。
【図９】表示部に表示される表示画面の一例を示す図。
【図１０】表示部に表示される表示画面の一例を示す図。
【図１１】表示部に表示される表示画面の一例を示す図。
【図１２】表示部に表示される表示画面の一例を示す図。
【図１３】表示部に表示される表示画面の一例を示す図。
【図１４】通信装置を内蔵した電子辞書端末と、サーバとが通信回線を介して通信可能に接続されたシステム構成の概略例を示す図。
【符号の説明】
１        携帯型電子辞書
１１    表示画面
１２    各種キー群
１３    入力ペン
２１    ＣＰＵ
２２    入力部
２３    表示部
２４    ＲＡＭ
２４１    入力軌跡データ記憶領域
２５    位置検出部
２６    タッチパネル
２７    ＲＯＭ
２７１    ジェスチャ入力ジャンププログラム
２７２    ジャンプ先指定データテーブル
２７３    辞書ＤＢ
２７３１    国語辞書ＤＢ
２７３２    百科事典ＤＢ
２７３３    漢和辞書ＤＢ
２７３４    日本語類語辞書ＤＢ
２７３５    英英辞書ＤＢ
２７３６    英和辞書ＤＢ
２７３７    和英辞書ＤＢ
２７３８    英語類語辞書ＤＢ
【図１】
2004302802.tif 000003
【図２】
2004302802.tif 000004
【図３】
2004302802.tif 000005
【図４】
2004302802.tif 000006
【図５】
2004302802.tif 000007
【図６】
2004302802.tif 000008
【図７】
2004302802.tif 000009
【図８】
2004302802.tif 000010
【図９】
2004302802.tif 000011
【図１０】
2004302802.tif 000012
【図１１】
2004302802.tif 000013
【図１２】
2004302802.tif 000014
【図１３】
2004302802.tif 000015
【図１４】
2004302802.tif 000016